(57)【特許請求の範囲】
【請求項１】
操作に応じて順次閉じられる複数の接点を有するイグニッションスイッチとエンジンの制御回路とを前記接点毎に接続する複数の接続線に、前記エンジンの始動信号を受信したとき、前記イグニッションスイッチの操作に対応した信号を出力し、前記エンジンを始動する車両用エンジン遠隔始動装置において、
複数の前記接続線にそれぞれ接続された分岐線と、
前記イグニッションスイッチの操作による前記複数の接点信号を前記分岐線を介して入力し、入力される前記複数の接点信号の順序に応じて前記複数の接点及び前記複数の接続線の接続関係を識別する識別手段とを備え、
前記エンジンの始動信号を受信したときには、前記接続関係に基づいて前記分岐線を介して前記接続線に前記イグニッションスイッチの操作に対応した信号を出力することを特徴とする車両用エンジン遠隔始動装置。
【請求項２】
前記識別手段は、前記接点のチャタリング収束後に前記接続関係を識別することを特徴とする請求項１記載の車両用エンジン遠隔始動装置。
【発明の詳細な説明】
【０００１】
【発明の属する技術分野】
本発明は、車両用エンジンを遠隔操作によって始動させる車両用エンジン遠隔始動装置に関するものである。
【０００２】
【従来の技術】
従来より、停車状態にある車両のエンジンを、送信器からの電波を媒介にして送信される始動信号によって始動させるようにした車両用エンジン遠隔始動装置が知られている。この種の装置は、送信器からの始動信号を受信したときに、所定のエンジン始動条件を満たしていることを条件にエンジンの始動制御を行うように構成されている。
【０００３】
図１０に示すように、イグニッションスイッチ１００と図示しないエンジンを制御する制御回路１０２とを一対のコネクタ１０４，１０６を介装したハーネス１０８を介して接続している。車両用エンジン遠隔始動装置を取り付ける際には、このコネクタ１０４，１０６の接続を外し、その間に接続ハーネス１１０を挿入し、接続ハーネス１１０を介して車両用エンジン遠隔始動装置の始動回路１１２を接続している。
【０００４】
始動回路１１２のアクセサリ端子Ａｃｃ、第１イグニッション端子ＩＧ１、第２イグニッション端子ＩＧ２、スタータ端子ＳＴ、電源端子１２Ｖは、ハーネス１０８の各接続線Ａｃｃ、ＩＧ１、ＩＧ２、ＳＴ、１２Ｖに接続されている。そして、始動回路１１２は、図９に示すように、イグニッションスイッチ１００を操作したときのタイミングで、アクセサリ端子Ａｃｃ、第１イグニッション端子ＩＧ１、第２イグニッション端子ＩＧ２、スタータ端子ＳＴから信号を出力する。
【０００５】
【発明が解決しようとする課題】
しかしながら、こうした従来のものでは、始動回路１１２のアクセサリ端子Ａｃｃと接続線Ａｃｃとが、第１イグニッション端子ＩＧ１と接続線ＩＧ１とが、第２イグニッション端子ＩＧ２と接続線ＩＧ２とが、スタータ端子ＳＴと接続線ＳＴとがそれぞれ正しく接続されていないと、エンジンの始動ができないばかりか、故障を誘発する場合がある。
【０００６】
しかも、車両の種類によっては、各接続線Ａｃｃ、ＩＧ１、ＩＧ２、ＳＴ、１２Ｖの配列が異なり、共通の接続ハーネス１１０を用いることができず、また、各接続線Ａｃｃ、ＩＧ１、ＩＧ２、ＳＴ、１２Ｖの機能を確認した上で接続しなければならず、車両用エンジン遠隔始動装置の取付が容易でないという問題があった。
【０００７】
本発明の課題は、取付が容易な車両用エンジン遠隔始動装置を提供することにある。
【０００８】
【課題を解決するための手段】
かかる課題を達成すべく、本発明は課題を解決するため次の手段を取った。即ち、
操作に応じて順次閉じられる複数の接点を有するイグニッションスイッチとエンジンの制御回路とを前記接点毎に接続する複数の接続線に、前記エンジンの始動信号を受信したとき、前記イグニッションスイッチの操作に対応した信号を出力し、前記エンジンを始動する車両用エンジン遠隔始動装置において、
複数の前記接続線にそれぞれ接続された分岐線と、
前記イグニッションスイッチの操作による前記複数の接点信号を前記分岐線を介して入力し、入力される前記複数の接点信号の順序に応じて前記複数の接点及び前記複数の接続線の接続関係を識別する識別手段とを備え、
前記エンジンの始動信号を受信したときには、前記接続関係に基づいて前記分岐線を介して前記接続線に前記イグニッションスイッチの操作に対応した信号を出力することを特徴とする車両用エンジン遠隔始動装置がそれである。
【０００９】
また、前記識別手段は、前記接点のチャタリング収束後に前記接続関係を識別するように構成してもよい。
【００１０】
【発明の実施の形態】
以下本発明の実施の形態を図面に基づいて詳細に説明する。
図１に示すように、１はイグニッションスイッチで、挿入されるキー２を回転操作することにより、イグニッションスイッチ１の複数の接点が順次閉じられる。本実施形態では、イグニッションスイッチ１が操作されると、まず、アクセサリ接点が閉じ、更に操作されると、アクセサリ接点は閉じたままで第１、第２イグニッション接点が閉じる。更に操作されると、アクセサリ接点と第２イグニッション接点とは開き、第１イグニッション接点は閉じた状態でスタータ接点が閉じる。
【００１１】
イグニッションスイッチ１のアクセサリ接点には第１接続線Ａｃｃが、第１イグニッション接点には第２接続線ＩＧ１が、第２イグニッション接点には第３接続線ＩＧ２が、スタータ接点には第４接続線ＳＴが接続されており、また、イグニッションスイッチ１には電源線１２Ｖも接続されている。第１〜第４接続線Ａｃｃ、ＩＧ１、ＩＧ２、ＳＴと電源線１２Ｖとは、コネクタ４，６を介して図示しないエンジンの制御回路８と接続されている。
【００１２】
第１〜第４接続線Ａｃｃ、ＩＧ１、ＩＧ２、ＳＴと電源線１２Ｖとには、それぞれ第１〜第４分岐線１０〜１３と電源線１４が接続されている。第１〜第４接続線Ａｃｃ、ＩＧ１、ＩＧ２、ＳＴ及び電源線１２Ｖと、第１〜第４分岐線１０〜１３及び電源線１４との接続は、第１〜第４接続線Ａｃｃ、ＩＧ１、ＩＧ２、ＳＴ及び電源線１２Ｖに第１〜第４分岐線１０〜１３及び電源線１４を巻き付けて接続する、いわゆるエレクトロタップにより接続してもよく、あるいは、図１０に示すように、一対のコネクタ４，６の間に介装して接続するようにしてもよい。電源線１２Ｖと電源線１４とは対応させて接続する必要があるが、第１〜第４接続線Ａｃｃ、ＩＧ１、ＩＧ２、ＳＴと第１〜第４分岐線１０〜１３とは、対応して接続する必要はなく、ランダムに接続してよい。
【００１３】
第１〜第４分岐線１０〜１３及び電源線１４は始動回路２０に接続されている。始動回路２０は、周知のＣＰＵ２２、ＲＯＭ２４、ＲＡＭ２６を論理演算回路の中心として構成され、外部と入出力を行う出力回路２８及び入力回路３０をコモンバス３２を介して相互に接続されている。第１〜第４分岐線１０〜１３は出力回路２８の第１〜第４出力端子ＯＵＴ１〜ＯＵＴ４にそれぞれ接続されると共に、入力回路３０の第１〜第４入力端子ＩＮ１〜ＩＮ４にも接続されている。
【００１４】
ＣＰＵ２２は、受信器３４、カーテシスイッチ３６、発電機３８、読取スイッチ４０、設定器４２等の外部からの信号を入力回路３０を介して入力する。一方、これらの信号及びＲＯＭ２４、ＲＡＭ２６内のデータや予め記憶された制御プログラムに基づいてＣＰＵ２２は、出力回路２８から信号を出力して、図示しないエンジンを始動する。尚、使用者の手元に置かれた送信器４４からの始動信号を受信器３４が受信すると、受信器３４は入力回路３０を介してＣＰＵ２２に始動信号を出力する。
【００１５】
次に、前述した始動回路２０において行われる制御処理について、図２のフローチャートによって説明する。
図２に示す識別処理が、本実施形態の車両用エンジン遠隔始動装置が車両に取り付けられた後、最初に実行される。まず、読取スイッチ４０が投入されているか否かを判断する（ステップ１００。以下Ｓ１００という。以下同様。）。
【００１６】
読取スイッチ４０が投入されていないときは投入されるまで待期し、投入されたときには、初期化を行なう（Ｓ１１０）。初期化処理では、後述するカウンタＭ，Ｎ，Ｐを予め設定された初期値Ｘ，Ｙ，Ｚにする処理等を行なう。初期化後、次に、第１チャタリング処理を実行する（Ｓ２００）。
【００１７】
第１チャタリング処理は、図３に示すように、まず、第１〜第４入力端子ＩＮ１〜ＩＮ４がハイレベルか否かを判断する（Ｓ２１０〜Ｓ２４０）。第１〜第４入力端子ＩＮ１〜ＩＮ４のいずれもがハイレベルではないと、カウンタＭが０か否かを判断する（Ｓ２５０）。当初はカウンタＭは０ではないので、以下、Ｓ２１０以下の処理を繰り返す。
【００１８】
イグニッションスイッチ１が操作されていないときには、いずれの第１〜第４接続線Ａｃｃ、ＩＧ１、ＩＧ２、ＳＴもハイレベルとならないので、各第１〜第４入力端子ＩＮ１〜ＩＮ４のいずれもがハイレベルではない。イグニッションスイッチ１が操作されアクセサリ接点が閉じられると、本実施形態では、第１接続線Ａｃｃがハイレベルになる。
【００１９】
よって、Ｓ２１０の処理の実行により、第１入力端子ＩＮ１がハイレベルであると判断されて、カウンタＭから１を減算する（Ｓ２６０）。次に、Ｓ２２０〜Ｓ２４０の処理の実行により、第２〜第４入力端子ＩＮ２〜ＩＮ４はハイレベルではないと判断されて、カウンタＭが０となるまで、Ｓ２１０以下の処理を繰り返し実行する。これにより、イグニッションスイッチ１が操作されて、アクセサリ接点がチャタリングしても、カウンタＭが０となるまで、Ｓ２１０以下の処理を繰り返す。この間に、チャタリングが収束する。
【００２０】
尚、第１接続線Ａｃｃと第２分岐線１１とが接続されているときには、第２入力端子ＩＮ２がハイレベルと判断され（Ｓ２２０）、Ｓ２７０の処理によりカウンタＭから１を減算する。同様に、第１接続線Ａｃｃと第３分岐線１２とが接続されているときにはＳ２３０，Ｓ２８０の処理により、また、第１接続線Ａｃｃと第４分岐線１３とが接続されているときにはＳ２４０，Ｓ２９０の処理により、カウンタＭから１を減算する。
【００２１】
Ｓ２５０の処理の実行により、カウンタＭが０となったと判断されたチャタリング収束後に、アクセサリ接点検出処理を実行する（Ｓ３００）。アクセサリ接点検出処理では、第１〜第４入力端子ＩＮ１〜ＩＮ４がハイレベルか否かを判断する（Ｓ３１０〜Ｓ３４０）。
【００２２】
イグニッションスイッチ１が操作されたときには、本実施形態では、第１接続線Ａｃｃと第１分岐線１０とが接続されているので、最初に第１入力端子ＩＮ１がハイレベルになり、第１出力端子ＯＵＴ１にアクセサリ出力を割り当てる（Ｓ３５０）。
【００２３】
尚、第２入力端子ＩＮ２がハイレベルのときには第２出力端子ＯＵＴ２に（Ｓ３６０）、第３入力端子ＩＮ３がハイレベルのときには第３出力端子ＯＵＴ３に（Ｓ３７０）、第４入力端子ＩＮ４がハイレベルのときには第４出力端子ＯＵＴ４に（Ｓ３８０）、アクセサリ出力を割り当てる。
【００２４】
即ち、本実施形態では、第１接続線Ａｃｃと第１分岐線１０とが接続関係にあると識別し、イグニッションスイッチ１が操作されて、最初にハイレベルとなった第１入力端子ＩＮ１に対応する第１出力端子ＯＵＴ１にアクセサリ出力を割り当てる。
【００２５】
アクセサリ接点検出処理を実行すると、次に、第２チャタリング処理を実行する。第２チャタリング処理は、図５に示すように、まず、第１〜第４入力端子ＩＮ１〜ＩＮ４がハイレベルか否かを判断する（Ｓ４０５〜Ｓ４２０）。第１入力端子ＩＮ１がハイレベルであるときには、第１出力端子ＯＵＴ１にアクセサリ出力が割り当てられているか否かを判断する（Ｓ４２５）。
【００２６】
本実施形態では、Ｓ３５０の処理により割り当てが完了しているので、カウンタＮから１を減算することなく（Ｓ４３０）、Ｓ４１０以下の処理を実行する。そして、カウンタＮが０となるまで、Ｓ４０５以下の処理を繰り返し実行する（Ｓ４３５）。
【００２７】
イグニッションスイッチ１の操作が進んで第１、第２イグニッション接点が閉じ、第１、第２接続線ＩＧ１，ＩＧ２がハイレベルとなると、Ｓ４１０の処理の実行により、第２入力端子ＩＮ２がハイレベルであると判断されて、次に、第２出力端子ＯＵＴ２にアクセサリ出力が割り当てられているか否かを判断する（Ｓ４４０）。第２出力端子ＯＵＴ２には、割り当てられていないので、カウンタＮを１だけ減算してＳ４１５以下の処理を繰り返す。
【００２８】
また、Ｓ４１５の処理により、第３入力端子ＩＮ３がハイレベルであると判断されると、第３出力端子ＯＵＴ３にアクセサリ出力が割り当てられているか否かを判断する（Ｓ４５０）。第３出力端子ＯＵＴ３には、割り当てられていないので、カウンタＮを１だけ減算してＳ４２０以下の処理を繰り返す（Ｓ４５５）。
【００２９】
本実施形態では、第４入力端子ＩＮ４はハイレベルとなっていないので、Ｓ４３５の処理の実行により、カウンタＮが０となるまで、Ｓ４０５以下の処理を繰り返し実行する。この間に、チャタリングが収束する。尚、第４入力端子ＩＮ４がハイレベルとなったと判断されると（Ｓ４２０）、第４出力端子ＯＵＴ４にアクセサリ出力が割り当てられているか否かを判断し（Ｓ４６０）、割り当てられていないときには、カウンタＮから１を減算する（Ｓ４６５）。
【００３０】
カウンタＮが０となり、第１、第２イグニッション接点のチャタリング収束後、イグニッション接点検出処理を実行する（Ｓ５００）。イグニッション接点検出処理では、図６に示すように、まず、第１入力端子ＩＮ１がハイレベルか否かを判断する（Ｓ５０５）。本実施形態では、アクセサリ接点に第１接続線Ａｃｃ、第１分岐線１０を介して接続された第１入力端子ＩＮ１はハイレベルであるので、第１出力端子ＯＵＴ１にアクセサリ出力が割り当てられているか否かを判断する（Ｓ５１０）。
【００３１】
Ｓ３５０の処理の実行により、第１出力端子ＯＵＴ１にはアクセサリ出力が割り当てられているので、次に、第２入力端子ＩＮ２がハイレベルか否かを判断する（Ｓ５２０）。尚、Ｓ５１０の処理の実行により第１出力端子ＯＵＴ１にアクセサリ出力が割り当てられていないと判断されたときには、第１出力端子ＯＵＴ１にイグニッション出力を割り当てる（Ｓ５１５）。
【００３２】
Ｓ５２０の処理により、第１イグニッション接点に第２接続線ＩＧ１，第２分岐線１１を介して接続された第２入力端子ＩＮ２がハイレベルであると判断されると、第２出力端子ＯＵＴ２にアクセサリ出力が割り当てられているか否かを判断する（Ｓ５２５）。第２出力端子ＯＵＴ２には割り当てられていないので、第２出力端子ＯＵＴ２にイグニッション出力を割り当てる（Ｓ５３０）。
【００３３】
次に、イグニッション接点に第３接続線ＩＧ２，第３分岐線１２を介して接続された第３入力端子ＩＮ３がハイレベルか否かを判断する（Ｓ５３５）。第３入力端子ＩＮ３がハイレベルであると判断されると、第３出力端子ＯＵＴ３にアクセサリ出力が割り当てられているか否かを判断する（Ｓ５４０）。第３出力端子ＯＵＴ３には割り当てられていないので、第３出力端子ＯＵＴ３にイグニッション出力を割り当てる（Ｓ５４５）。
【００３４】
続いて、第４入力端子ＩＮ４がハイレベルか否かを判断する（Ｓ５５０）。本実施形態では、第４入力端子ＩＮ４はハイレベルではないので、第３チャタリング処理に進む（Ｓ６００）。即ち、本実施形態では、第２接続線ＩＧ１と第２分岐線１１とが、また、第３接続線ＩＧ２と第３分岐線１２とが接続関係にあると識別し、第２，第３入力端子ＩＮ２，ＩＮ３に対応する第２、第３出力端子ＯＵＴ２，ＯＵＴ３にイグニッション出力を割り当てる。
【００３５】
尚、第４入力端子ＩＮ４がハイレベルであると判断されたときには、第４出力端子ＯＵＴ４にアクセサリ出力が割り当てられているか否かを判断する（Ｓ５５５）。第４出力端子ＯＵＴ４には割り当てられていないので、第４出力端子ＯＵＴ４にイグニッション出力を割り当てる（Ｓ５６０）。
【００３６】
第３チャタリング処理では、図７に示すように、まず、第１〜第４入力端子ＩＮ１〜ＩＮ４がハイレベルか否かを判断する（Ｓ６０５〜Ｓ６２０）。第１入力端子ＩＮ１がハイレベルであるときには、第１出力端子ＯＵＴ１にアクセサリ出力又はイグニッション出力が割り当てられているか否かを判断する（Ｓ６２５）。本実施形態では、Ｓ３５０の処理によりアクセサリ出力の割り当てが完了しているので、Ｓ６１０の処理を実行する。そして、カウンタＮが０となるまで、Ｓ６０５以下の処理を繰り返し実行する（Ｓ６３５）。
【００３７】
Ｓ６１０の処理の実行により、第２入力端子ＩＮ２がハイレベルであると判断されて、第２出力端子ＯＵＴ２にアクセサリ出力又はイグニッション出力が割り当てられているか否かを判断する（Ｓ６４０）。第２出力端子ＯＵＴ２には、Ｓ５３０の処理によりイグニッション出力が割り当てられているので、カウンタＰを１だけ減算する処理（Ｓ６４５）を実行することなく、Ｓ６１５以下の処理を繰り返す。
【００３８】
また、Ｓ６１５の処理により、第３入力端子ＩＮ３がハイレベルであると判断されると、第３出力端子ＯＵＴ３にアクセサリ出力又はイグニッション出力が割り当てられているか否かを判断する（Ｓ６５０）。第３出力端子ＯＵＴ３には、Ｓ５４５の処理によりイグニッション出力が割り当てられているので、カウンタＰを１だけ減算する処理（Ｓ６５５）を実行することなく、Ｓ６２０以下の処理を繰り返す。
【００３９】
次に、イグニッションスイッチ１の操作が進んでスタータ接点が閉じると、第４接続線ＳＴがハイレベルとなる。Ｓ６２０の処理により、第４入力端子ＩＮ４がハイレベルとなっているか否かを判断する。第４入力端子ＩＮ４がハイレベルとなっていると判断すると、第４出力端子ＯＵＴ４にアクセサリ出力又はイグニッション出力が割り当てられているか否かを判断する（Ｓ６６０）。第４出力端子ＯＵＴ４には、まだ割り当てられていないので、カウンタＰを１だけ減算する処理を実行する（Ｓ６６５）。そして、Ｓ６３５の処理の実行により、カウンタＰが０となるまで、Ｓ６０５以下の処理を繰り返し実行する。この間に、チャタリングが収束する。
【００４０】
カウンタＰが０となりスタータ接点のチャタリング収束後、スタータ接点検出処理を実行する（Ｓ７００）。スタータ接点検出処理では、図８に示すように、まず、第１入力端子ＩＮ１がハイレベルか否かを判断する（Ｓ７０５）。本実施形態では、スタータ接点が閉じたときにアクセサリ接点は開くので、スタータ接点が閉じたときにアクセサリ出力をローレベルに設定する処理を実行する（Ｓ７１０）。
【００４１】
尚、第１入力端子ＩＮ１がハイレベルであるときには（Ｓ７０５）、第１出力端子ＯＵＴ１にアクセサリ出力又はイグニッション出力が割り当てられているか否かを判断する（Ｓ７１５）。割り当てられていないときには、第１出力端子ＯＵＴ１にスタータ出力を割り当て（Ｓ７２０）、すでに割り当てられているときには、割り当てることなく、Ｓ７２５の処理に進む。
【００４２】
Ｓ７２５の処理では、第２入力端子ＩＮ２がハイレベルであるか否かを判断する。本実施形態では、第２入力端子ＩＮ２はハイレベルであるので、次に、第２出力端子ＯＵＴ２にアクセサリ出力又はイグニッション出力が割り当てられているか否かを判断する（Ｓ７３０）。すでに割り当てられているので、割り当てることなく、Ｓ７４５の処理に進む。
【００４３】
尚、割り当てられていないときには、第２出力端子ＯＵＴ２にスタータ出力を割り当てる（Ｓ７３５）。また、Ｓ７２５の処理により、第２入力端子ＩＮ２がハイレベルではないと判断されたときには、スタータ接点が閉じたときに第２出力端子ＯＵＴ２のイグニッション出力をオフに設定する処理を実行する（Ｓ７４０）。
【００４４】
次に、第３入力端子ＩＮ３がハイレベルであるか否かを判断する（Ｓ７４５）。本実施形態では、スタータ接点が閉じたときに第２イグニッション接点は開くので、スタータ接点が閉じたときに第３出力端子ＯＵＴ３のイグニッション出力をローレベルに設定する処理を実行する（Ｓ７５０）。
【００４５】
尚、第３入力端子ＩＮ３がハイレベルであるときには（Ｓ７４５）、第３出力端子ＯＵＴ３にアクセサリ出力又はイグニッション出力が割り当てられているか否かを判断する（Ｓ７５５）。割り当てられていないときには、第３出力端子ＯＵＴ３にスタータ出力を割り当て（Ｓ７６０）、すでに割り当てられているときには、割り当てることなく、Ｓ７６５の処理に進む。
【００４６】
Ｓ７６５の処理の実行では、第４入力端子ＩＮ４がハイレベルであるか否かを判断する。スタータ接点が閉じたときには、ハイレベルとなるので、次に、第４出力端子ＯＵＴ４にアクセサリ出力又はイグニッション出力が割り当てられているか否かを判断する（Ｓ７７０）。割り当てられていないときには、第４出力端子ＯＵＴ４にスタータ出力を割り当てる（Ｓ７７５）。即ち、本実施形態では、第４接続線ＳＴと第４分岐線１３とが接続関係にあると識別して、第４入力端子ＩＮ４に対応する第４出力端子ＯＵＴ４にスタータ出力を割り当てる。
【００４７】
尚、すでに割り当てられているときには、割り当てることなく、本制御処理を終了する。また、Ｓ７６５の処理により、第４入力端子ＩＮ４がハイレベルではないと判断されたときには、スタータ接点が閉じたときに第４出力端子ＯＵＴ４の出力をローレベルに設定する処理を実行する（Ｓ７８０）。
【００４８】
前述した識別処理の実行により、第１出力端子ＯＵＴ１にはアクセサリ出力が、第２出力端子ＯＵＴ２及び第３出力端子ＯＵＴ３にはイグニッション出力が、第４出力端子ＯＵＴ４にはスタータ出力が割り当てられる。また、第４出力端子ＯＵＴがハイレベルとなったときには、第１出力端子ＯＵＴ１と第３出力端子ＯＵＴ３とはローレベルとなるように設定される。
【００４９】
そして、送信器４４から始動信号が発信されると、受信器３４は変調された電波を受信復調し、復調したＩＤコードを入力回路３０を介してＣＰＵ２２に入力する。ＣＰＵ２２は、ＲＯＭ２４に予め記憶されたＩＤコードと、復調したＩＤコードとを比較する。
【００５０】
一致した場合には、図９に示すように、出力回路２８の第１出力端子ＯＵＴ１からハイレベル信号を出力する。これにより、アクセサリ電装機器とバッテリとが接続される。次に、予め設定された一定時間ｔ1 が経過した後に、第２出力端子ＯＵＴ２と第３出力端子ＯＵＴ３とからハイレベル信号を出力し、点火回路や燃料噴射回路等とバッテリとを接続する。
【００５１】
続いて、予め設定された一定時間ｔ2 が経過した後に、第４出力端子ＯＵＴ４からハイレベル信号を出力する。これにより、セルモータとバッテリとを接続してセルモータを回転駆動する。そして、エンジンが始動されて、発電機３８から信号が入力されたときには、エンジンの始動が完了したと判断して、第４出力端子ＯＵＴ４をローレベルとする。使用者が車両に搭乗する際に、ドアが開けられると、カーテシスイッチ３６がローレベルとなり、各第１〜第４出力端子ＯＵＴ１〜ＯＵＴ４からの出力信号もローレベルとなって、エンジンが停止される。
【００５２】
また、第４出力端子ＯＵＴ４がハイレベルであるときには、第１出力端子ＯＵＴ１と第３出力端子ＯＵＴ３とをローレベルとして、バッテリの負荷を軽減する。尚、前述した一定時間ｔ1 ，ｔ2 は設定器４２により設定され、設定器４２により一定時間をｔ1 ，ｔ2 を調整できるように構成されている。
【００５３】
以上本発明はこの様な実施形態に何等限定されるものではなく、本発明の要旨を逸脱しない範囲において種々なる態様で実施し得る。
【００５４】
【発明の効果】
以上詳述したように本発明の車両用エンジン遠隔始動装置は、複数の接点と複数の接続線との接続関係を識別し、識別した接続関係に基づいてエンジンを始動するので、接続関係が不明であっても簡単に取り付けることができるという効果を奏する。
【図面の簡単な説明】
【図１】本発明の車両用エンジン遠隔始動装置の概略構成図である。
【図２】本発明の始動回路において行われる識別処理の一例を示すフローチャートである。
【図３】本実施形態の第１チャタリング処理を示すフローチャートである。
【図４】本実施形態のアクセサリ接点検出処理を示すフローチャートである。
【図５】本実施形態の第２チャタリング処理を示すフローチャートである。
【図６】本実施形態のイグニッション接点検出処理を示すフローチャートである。
【図７】本実施形態の第３チャタリング処理を示すフローチャートである。
【図８】本実施形態のスタータ接点検出処理を示すフローチャートである。
【図９】本実施形態の各出力端子からの出力信号のタイミングチャートである。
【図１０】従来の車両用エンジン遠隔始動装置の接続を示す概略構成図である。
【符号の説明】
１…イグニッションスイッチ  ２…キー
４，６…コネクタ            ８…制御回路
１０…第１分岐線            １１…第２分岐線
１２…第３分岐線            １３…第４分岐線
１４…電源線                ２０…始動回路
２８…出力回路              ３０…入力回路
３４…受信器                ４４…送信器
【図１】
0004271782.tif 000002
【図２】
0004271782.tif 000003
【図３】
0004271782.tif 000004
【図４】
0004271782.tif 000005
【図５】
0004271782.tif 000006
【図６】
0004271782.tif 000007
【図７】
0004271782.tif 000008
【図８】
0004271782.tif 000009
【図９】
0004271782.tif 000010
【図１０】
0004271782.tif 000011